(57)【要約】【課題】所謂リバーシブルキー用の被加工用キーブランクを挾持固定する際、従来のキー用バイスに比して、被加工用キーブランクとキー用バイスとの接触面積を広くすることができてキー用バイスの挾持力を高めることができるキー用バイスの提供を課題とする。【解決手段】被加工用キーブランク１０は、所謂リバーシブルキー用のものであり、その両面には、キー長手方向に延在する段差１２が２つの段差面１２ａ，１２ｂによって形成されている。キー用バイスＶの下バイス部材２２の上面には、被加工用キーブランク１０の段差面１２ａ，１２ｂと合致する段差面２２ａ，２２ｂが形成されている。２２ｃは段差である。【選択図】  図２
0003106061.tif 000002
【実用新案登録請求の範囲】
【請求項１】
キーの長手方向に沿って段差が形成されるように当該キーの両面のそれぞれに段差面が
形成されているキーを挾持するバイスであって、当該バイスを構成する下バイス部材の上
面または／および上バイス部材の下面に、前記キーの前記段差面と合致する段差面が形成
されていることを特徴とするキー用バイス。
【請求項２】
キーの長手方向に沿って段差が形成されるように当該キーの両面のそれぞれに段差面が
形成されているキーを挾持するバイスであって、当該バイスで前記キーを挾持した際当該
バイスを構成する上バイス部材の下面が前記キーの上面に密着し、且つ下バイス部材の上
面が前記キーの下面に密着するように、上バイス部材の下面および下バイス部材の上面に
段差面が形成されていることを特徴とするキー用バイス。
【考案の詳細な説明】
【技術分野】
【０００１】
本考案は、合鍵複製機に装着されるキーを挾持固定するキー用バイスに関するものであ
る。
【背景技術】
【０００２】
図４は、従来の合鍵複製機の構成を示した斜視図である。
【０００３】
このような合鍵複製機１においては、マスターキーの凹凸をトレースする倣い具２と、
被加工用キーブランクに凹凸を形成するためのカッター３とが所定間隔を隔てて配設され
ている。カッター３は、モータ４によって回転し、被加工用キーブランクの側端部を削除
して、この側端部にマスターキーの凹凸と同様の凹凸を形成する。
【０００４】
マスターキーと被加工用キーブランクを挾持固定する２つのキー用バイスＶは、前述し
た所定間隔だけ隔てられた状態で縦送り用テーブル５上に配設されている。縦送り用テー
ブル５は、支持軸６によって回動自在に支持されており、この縦送り用テーブル５を支持
軸６を中心として回動させることにより、バイスＶとカッター３との距離を変化させるこ
とができる。
【０００５】
７は横送り用ハンドルであり、この横送り用ハンドル７を回動させることにより縦送り
用テーブル５を横方向（Ｘ方向）に移動させることができる。
【０００６】
以上のように構成された合鍵複製機１を用いて合鍵を作成する場合には、倣い具２に対
面しているキー用バイスＶにマスターキーを固定し、カッター３に対面しているキー用バ
イスＶに被加工用キーブランクを固定して、縦送り用テーブル５と横送り用ハンドル７と
を操作することにより、マスターキーの側端部に形成されている凹凸と同様の凹凸を被加
工用キーブランクの側端部に形成していく。
【０００７】
図５（ａ）に示した被加工用キーブランク１０は、所謂リバーシブルキー用の被加工用
キーブランクである。
【０００８】
ここで、リバーシブルキーとは、キーの両側端部に対称的に凹凸が形成されており、ど
ちらの側端部を上側にして鍵穴に差し込んでも閉開錠可能なキーであり、従来から自動車
等のキーとして広く用いられているものである。
【０００９】
このようなリバーシブルキーにおいては、図５（ａ）に示すように、キー１０の長手方
向に延在する段差１１が形成されるように段差面１１ａ，１１ｂが形成されている。さら
に、キー１０の下面側にも上面側と同様に、キー１０の長手方向に延在する段差１２が形
成されるように段差面１２ａ，１２ｂが形成されている。
【００１０】
以上のようなキー１０の長手方向に延在する段差１１，１２を基準として、所謂リバー
ジブルキーの側端部の凹凸は形成されている。
【００１１】
このようなリバーシブルキー用の被加工用キーブランク１０をキー用バイスＶで挾持固
定する場合には、従来は図５（ｂ）に示したように被加工用キーブランク１０の段差が形
成されていない部分をキー用バイスＶで挾持固定していた。
【００１２】
図６（ａ），（ｂ）は、図５（ａ），（ｂ）のそれぞれに対応するキー用バイスＶの状
態を示した断面図である。図６（ａ），（ｂ）に示したように、キー用バイスＶは、上バ
イス部材２１、下バイス部材２２、固定用ボルト２３によって構成されている。ここで、
上バイス部材２１および下バイス部材２２には、固定用ボルト２３が貫通可能な貫通口が
形成されており、固定用ボルト２３は縦送り用テーブル５と螺合可能となっている。
【００１３】
被加工用キーブランク１０を加工する場合には、図６（ｂ）に示したように、段差１１
，１２が形成されていない部分をキー用バイス１０に挾持固定して被加工用キーブランク
１０の側端部に段差１２を基準とした凹凸が形成されるようにカッター３で加工する。
【考案の開示】
【考案が解決しようとする課題】
【００１４】
以上説明した従来のキー用バイスＶを用いて所謂リバーシブルキー用の被加工用キーブ
ランク１０を挾持固定する場合には、被加工用キーブランク１０とキー用バイスＶとの接
触面積が小さく、キー用バイスの挾持力が小さくなってしまうという問題が生じていた。
【００１５】
殊に、被加工用キーブランク１０の一方側の側端部に凹凸を加工した後、他方側の側端
部を加工する際には、凹凸が形成されている部分をキー用バイスＶで挾持固定することと
なり、接触面積がさらに小さくなってしまうために、被加工用キーブランク１０の先端部
分等をカッター３で加工するときに被加工用キーブランク１０が動いてしまうということ
があった。
【課題を解決するための手段】
【００１６】
以上の課題を解決するために本考案は、キーの長手方向に沿って段差が形成されるよう
に当該キーの両面のそれぞれに段差面が形成されているキーを挾持するバイスであって、
当該バイスを構成する下バイス部材の上面または上バイス部材の下面に、前記キーの前記
段差面と合致する段差面が形成されていることを特徴とするものである。さらに、以上の
課題を解決するために本考案は、キーの長手方向に沿って段差が形成されるよう
に当該キーの両面のそれぞれに段差面が形成されているキーを挾持するバイスであって、
当該バイスで前記キーを挾持した際当該バイスを構成する上バイス部材の下面が前記キー
の上面に密着し、且つ下バイス部材の上面が前記キーの下面に密着するように、上バイス
部材の下面および下バイス部材の上面に段差面が形成されていることを特徴とするもので
ある。
【考案の効果】
【００１７】
本考案によれば、所謂リバーシブルキー用の被加工用キーブランクを挾持固定する際、
従来のキー用バイスに比して、被加工用キーブランクとキー用バイスとの接触面積を広く
することができてキー用バイスの挾持力を高めることができる。
【考案を実施するための最良の形態】
【００１８】
以下、図面を用いて本考案の実施例を説明する。
【実施例１】
【００１９】
図１は、本考案の実施例１の構成を示した斜視図である。
【００２０】
図１において、キー用バイスＶは、従来と同様に、上バイス部材２１、下バイス部材２
２、固定用ボルト２３によって構成されている。
【００２１】
本実施例１が従来のキー用バイスと異なるところは、本実施例１においては、下バイス
部材２２の上面に、被加工用キーブランクの両面に形成されている段差面と合致する段差
面２２ａ，２２ｂが形成されていることである。２２ｃは段差面２２ａ，２２ｂによって
形成された段差である。この段差２３ｃは、カッター３の中心の回転軸の軸方向に平行に
延在するように形成されている。
【００２２】
以上のように構成された本実施例１においては、図２（ａ），（ｂ）に示したように、
下バイス部材２２の上面に形成されている段差面２２ａ，２２ｂがそれぞれ被加工用キー
ブランク１０の段差面１２ａ，１２ｂに合致する。従って、従来のキー用バイス（図６参
照）に比して、被加工用キーブランク１０とキー用バイスＶとの接触面積が広くなり、そ
の分だけキー用バイスＶの挾持力を高めることができる。このような本実施例１によれば
、被加工用キーブランク１０をカッター３によって加工する際、被加工用キーブランク１
０が動くようなことはない。
【００２３】
以上説明した実施例においては、下バイス部材２２の上面に段差面２２ａ，２２ｂが形
成されているが、この段差面は、図３（ａ），（ｂ）に示したように上バイス部材２１の
下面に形成してもよい。図３（ａ），（ｂ）において、２１ｃは段差面２１ａ，２１ｂに
よって形成された段差であり、段差面２１ａ，２１ｂはそれぞれ被加工用キーブランク１
０の段差面１１ａ，１１ｂに合致するように形成された段差面である。
【００２４】
さらに、上バイス部材２１の下面と下バイス部材２２の上面とに段差面を形成するよう
にしてもよく、この場合には、キー用バイスＶで被加工用キーブランク１０を挾持固定し
たときに、上バイス部材２１の下面が被加工用キーブランク１０の上面に密着し、下バイ
ス部材２２の上面が被加工用キーブランク１０の下面に密着するように、上バイス部材２
１の下面に段差面２１ａ，２１ｂを形成するとともに下バイス部材２２の上面に段差面２
２ａ，２２ｂを形成するようにしてもよい。
【産業上の利用可能性】
【００２５】
本考案によれば、所謂リバーシブルキー用の被加工用キーブランクを挾持固定する際、
従来のキー用バイスに比して、被加工用キーブランクとキー用バイスとの接触面積を広く
することができてキー用バイスの挾持力を高めることができる。
【図面の簡単な説明】
【００２６】
【図１】本考案の実施例１の構成を示す斜視図である。
【図２】本考案の実施例１の構成を示す断面図である。
【図３】本考案の実施例１の説明図である。
【図４】従来の合鍵複製機の構成を示す斜視図である。
【図５】従来のキー用バイスの説明図である。
【図６】従来のキー用バイスの説明図である。
【符号の説明】
【００２７】
１  合鍵複製機
２  倣い具
３  カッター
４  モータ
５  縦送り用テーブル
６  支持軸
７  横送り用ハンドル
１０  被加工用キーブランク
１１，１２，２１ｃ，２２ｃ  段差
１１ａ，１１ｂ，１２ａ，１２ｂ，２１ａ，２１ｂ，２２ａ，２２ｂ  段差面
２１  上バイス部材
２２  下バイス部材
２３  固定用ボルト
Ｖ  キー用バイス
Ｘ  方向
【図１】
0003106061.tif 000003
【図２】
0003106061.tif 000004
【図３】
0003106061.tif 000005
【図４】
0003106061.tif 000006
【図５】
0003106061.tif 000007
【図６】
0003106061.tif 000008